(57)【要約】本発明は、パネル（３）及び／又は支持機構（５）を有し、それ自体が巻かれ得る薄く可撓性のある材料を有する。この可撓性は、損傷の可能性を大幅に低減する。この可撓性の機構がロール展開されたディスプレイを支持するよう、構造は、ロール展開方向に対して垂直である方向に湾曲される。
2007529776.tif 000002
【特許請求の範囲】
【請求項１】
電子パネルを有するパネル装置であって、
前記電子パネルは、前記電子パネル装置が筐体を有する第１の位置と第２の位置との間で可動であり、前記パネル装置は、前記第１及び第２の位置のうち一方において前記電子パネルを有し、前記電子パネル又はパネル支持体のうち少なくとも一方は、ロール方向において巻かれることが可能であり、前記電子パネルの部分又は前記筐体の外側の前記パネル支持体は、ロール方向に対して平行である平面において略直線状の断面、及び前記ロール方向に対して垂直である方向において湾曲断面を有する、
パネル装置。
【請求項２】
前記電子パネルの端部に沿って実行部分を有する、
請求項１記載の電子パネル装置。
【請求項３】
前記電子パネル装置の前記部分又は前記筐体の外側の前記パネル支持体は、前記ロール方向に対して垂直である前記方向において複数の湾曲を有する湾曲断面を有する、
請求項１記載のパネル装置。
【請求項４】
前記筐体は、前記電子パネル又はパネル支持体を出口開口において湾曲させる手段を有する、
請求項１記載のパネル装置。
【請求項５】
前記筐体は、湾曲されたスリットを有し、前記スリットは、前記ロール方向に対して垂直である方向における前記湾曲断面に対して実質的に同等である形状を有する、
請求項４記載のパネル装置。
【請求項６】
前記筐体は、前記電子パネル又は前記パネル支持体を前記装置をロール展開した後に前記湾曲状態にさせる機構を有する、
請求項４記載の電子パネル装置。
【請求項７】
前記ロール方向に対して垂直である前記方向における前記湾曲断面に対して実質的に同等である形状を有する一側を有する開口を有し、前記筐体は更には、前記一側と実質的に同等である形状を有する蓋を有し、前記蓋を閉めることによって前記電子パネル又は前記パネル支持体を所望の曲率にする、
請求項６記載の電子パネル装置。
【発明の詳細な説明】
【技術分野】
【０００１】
本発明は、電子パネルを有するパネル装置に係る。該電子パネルは、電子パネル装置が筐体を有する第１の位置と第２の位置との間で可動であり、該装置は、第１及び第２の位置のうちいずれかにおいて電子パネルを有する。
【背景技術】
【０００２】
パネル装置は、発光ディスプレイ装置及び干渉モジュレータを有する反射ディスプレイ装置、電気泳動ディスプレイ装置、エレクトロクロミックディスプレイ装置、液晶ディスプレイ装置、及び（有機）発光装置の群のうちの１つに属するディスプレイ装置又はタッチスクリーンであり得る。ディスプレイ装置は、パッシブ又はアクティブマトリクスディスプレイ装置であり得る。かかるアクティブマトリクスディスプレイ装置の例は、ＴＦＴ−（Ｏ）ＬＥＤ装置、ＴＦＴ−ＬＣＤ、又はＡＭ−ＬＣＤであり、ラップトップ型コンピュータ及びオーガナイザにおいて使用され、また、ＧＳＭ電話における更なるより幅広い適用を見出している。
【０００３】
現在の多くの適用において、ラップトップ型コンピュータ及びオーガナイザ（当然のことながらＧＳＭ電話）等の携帯型（ディスプレイ）装置は、望ましい。このため、可撓性である（ディスプレイ）パネル装置は、ますます使用される。フレキシブル（ディスプレイ）パネル装置の可撓性、及び特には巻上げ（ディスプレイ）パネル装置の可撓性は、（ディスプレイ）パネル装置自体の剛性の欠如からもたらされる。これは、部分的には、基板（プラスチック等）の低い係数（ｌｏｗ  ｍｏｄｕｌｕｓ）によってもたらされるが、殆どは非常に低い（例えば０．５ｍｍを下回る）厚さによってもたらされる。
【０００４】
しかしながら、巻上げディスプレイの場合、この剛性の欠如は、ロール展開される際に使用において問題を引き起こす。そのため、更なる支持機構が必要とされ、使用時に、ディスプレイが「平ら」に必ず保持され、ユーザがディスプレイ上の情報にアクセスし得るようにされる。このことは、必要な際にディスプレイを展開し得る追加的な機構を有して解決され得る。更に追加的な機構等の追加的な容積及び重量を装置に加えることは、通常、拡張される際に低減された堅固性及び更なる脆弱性を与える。
【発明の開示】
【発明が解決しようとする課題】
【０００５】
本発明は上述された問題を少なくとも部分的に解決することを目的とする。このため、電子パネル又はパネル支持体の少なくとも一方は、ロール方向において巻くことが可能であり、電子パネルの一部分、又は筐体の外側のパネル支持体は、略直線状断面を有するロール方向に対して平行である平面において略直線状断面を有し、また、ロール方向に対して垂直な方向において湾曲断面を有する。
【課題を解決するための手段】
【０００６】
実際には、本発明は、ディスプレイ自体において内蔵され得る、あるいは追加的な指示巻上げ機構によって実行され得るかのいずれかであり得る、弾性の巻上げ支持機構を使用する。特には、この支持機構は、金属基板等のそれ自体が巻き上げられ得る薄くて可撓性の材料を有する。ディスプレイの後背の別個の支持材の存在は、（ディスプレイ）パネル装置が展開される際に損傷の可能性を大幅に減らす。
【０００７】
この可撓性材料に湾曲された形状を与えるよう、筐体の出口における複数の測定が可能である。前述は、例えば湾曲されたスリットを有し得、該スリットは、ロール方向に対して垂直である方向において湾曲断面に対して略同等の形状を有する。この場合は、例えば金属基板上の（有機）発光装置の場合において、パネル装置全体は湾曲される。
【０００８】
他方では、筐体は、装置がロール展開される際に湾曲をもたらすようより広い開口及び機構を有し得る。例えば、該筐体は、開口を有し得、該開口は、ロール方向に対して垂直である方向において湾曲断面に対して略同等である形状を有する一側を有する。他側は、例えば湾曲された基板が湾曲が小さい又は湾曲されていない装置を有する際、あるいは、まだ湾曲されていない際に基板が巻かれる（ロール展開される）よう、湾曲されなくてよい。この場合には、筐体は更に、前出した湾曲の小さい又は非湾曲の側部と略同一の形状を有する蓋を有し得る。蓋を閉じることは、装置の中心を下方向に押すことによって装置上に所望の曲率を与える一方、端部はスリットの湾曲された側部によって支持される。
【発明を実施するための最良の形態】
【０００９】
本発明のこれらの及び他の態様は、以下に説明される実施例を参照して明らかに且つ説明される。
【００１０】
図面は、概略的であり、実寸大に描かれない。対応する要素は、全般的に同一の参照符号によって示される。
【００１１】
図１は、筐体４の内部に与えられる巻くことができるディスプレイ（ｒｏｌｌａｂｌｅｄｉｓｐｌａｙ）３を有するパネル装置１を本例では示す。筐体は、駆動電子機器及びバッテリ等を有し得る。図１は、基板５上に与えられ、矢印２によって示されたロール方向（ロール展開方向）においてロール展開されたロール展開ディスプレイ３を示す。
【００１２】
本発明によれば、巻いている間又はその後の段階において、本例ではディスプレイ３及び基板５を有する筐体の外側の構造は、ロール方向に対して垂直である方向（図１中の両方向矢印６参照）において湾曲される。図１中矢印２によって示されるロール方向において、筐体の外側の構造の部分は、ロール方向に対して平行である平面において略直線状の断面を有する。
【００１３】
構造の性質は、かかる薄い基板における位置が同時に一方向においてのみ湾曲されることを可能とし、曲率の規模及びその方向は、他の方向における面にわたって変化し得る。
【００１４】
本発明において提案される曲率を課すことによって、フィルムの面に沿う全ての位置は、ロール方向に対して垂直である課された方向（両方向矢印６参照）において湾曲され、ロール方向での曲率を可能としない。
【００１５】
この場合における機構が可撓性の基板に基づくため、構造（ディスプレイ）は、言わばそれ自体の支持を形成し、追加的な支持構造が使用されない。これは言わば、紙のシートの使用と一致し、追加的な構造が必要とされないという利点を有する（最低限の重量、容積、最低限のコスト）。
【００１６】
図２は、支持構造を図示し、ディスプレイ３は、基板層５（例えば薄い可撓性の金属シート）の上部上に加えられる。本例におけるディスプレイ３は、それ自体を機械的に支持するにはあまりに薄い基板層５より更に可撓性がある。２つの層３，５は、同一のロール上又は２つの別個のロール上で同時に又は別個に巻き上げられ得る一方、それらの各々は、リフレクタ又はバックライト等のディスプレイ機能を有する別個の部分を有し得る。
【００１７】
他方では、装置又は支持体は、（巻上げ式巻尺に相当する）平衡状態として所望の形状に事前に形成され得る。金属フィルムは、所望の方向において事前に湾曲される。巻上げ中、この支持体構造は、巻き上げられ得る平らなフィルムに弾性的に変形する。更に金属に対して、これは、ポリマ及び無機物を使用して同様に適用され得る。ディスプレイ又は支持体全体を事前に形成する代わりに、事前に湾曲された弾性的上部接続を構造の引張り端部（ｐｕｌｌｉｎｇ  ｅｎｄ）に対して取り付けることは、可能である。ディスプレイ又は支持体全体を事前に形成する代わりに、事前に湾曲された弾性的上部接続を構造の引張り端部に対して、又は装置に沿った複数の位置において取り付けることもまた、可能である。
【００１８】
図３及び図４は、ディスプレイのロール展開中又はロール展開後のいずれかに湾曲される平らなディスプレイ又は支持機構を有する構造３，５の複数の実施例を図示する。
【００１９】
図３中、構造３，５は、筐体５における湾曲されたスリット７を介して巻かれる。このようにして、ディスプレイ又は支持体構造は、意図された形状にされる。これは、スリット７と同一又は相当する形状を有する構造の端部において、固定された強化材８と組み合わされ得る。該弾性の強化材は、引張り端部に対する上部接続又はグリップとしての役割を果たし得る。
【００２０】
図４は、ディスプレイ又は支持体構造３，５がロール展開後に湾曲される一実施例を示す。これは、平らなシートとして開口９を介して構造をロール展開する（図４ａ）ことによって、続いて意図された曲率を有する蓋１０を閉め、ディスプレイをその湾曲された形状（図４ａ）にすることによって達成される。図３の例においては、ディスプレイ筐体における月型のスリット又は開口９が示され、ディスプレイは、形状を平らな状態と湾曲された上体との間で変化される。スリットはまた、矩形等の他の形状を有し得、湾曲はノッチによって構造に対して課される。
【００２１】
本発明の保護的範囲は、説明された実施例に制限されない。例えば、１つより多い構造は、装置において一体化され得る（４つの構造３ｉ，３ｉｉ，３ｉｉｉ，３ｉｖを有する図５参照）。この実施例は、単一の構造３が所望の剛性をもたらすには不十分であるワイドディスプレイに対して有利となり得る。
【００２２】
支持体は、その平衡状態（巻上げ式巻尺に相当する）において所望の形状を有し得る。これは、例えば所望の方向において事前に湾曲することによって、例えば（金属）基板５を可塑性変形することによって、多種の手法において達成され得る。この事前湾曲状態を達成する他の代替案は、例えば異なる層の熱的不一致又は伸張層の適用の使用等の、所定の弾性変形の使用である。
【００２３】
（方向２に対する法線の方向における）所定の湾曲形状における２つの固定は、図６中に概略的に示される。
【００２４】
該方法において、接着層１１は、必ずしも連続的ではない。接着剤を有さない域１２の幅ｗが適切に選択される際、「バックリング」現象は、方向２に対する法線の方向においてセルを（事前に）曲げるよう使用され得る。
【００２５】
より低い基板は、方向２においてもまた必ずしも連続的ではない。
【００２６】
巻上げ中、かかる支持体構造は、巻き上げられ得る平らなフィルムに対して弾性的に変形する。また、金属に対してこれは、ポリマ及び無機材料を使用して同様に適用され得る。ディスプレイ又は支持体全体を事前に湾曲する代わりに、事前に湾曲された弾性的上部接続を構造の引張り端部に対して取り付けることも、可能である。
【００２７】
本発明は、全ての各々の新しい特性及び全ての各々の特性の組合せに属する。請求項中の参照符号は、請求項の保護範囲を制限しない。「有する」という動詞及びその活用形の使用は、請求項中に記載された要素以外の要素の存在を除外しない。要素が単数形で記載されている場合は、かかる要素が複数存在する場合を除外するものではない。
【図面の簡単な説明】
【００２８】
【図１】本発明に従った巻くことができるディスプレイパネル及び／又はタッチパネルを有するパネル装置を有する本発明の第１の実施例を示す。
【図２】本発明に従った他の装置を示す。
【図３】本発明に従った他の装置の筐体を示す。
【図４ａ】本発明に従った装置の他の更なる実施例を示す。
【図４ｂ】本発明に従った装置の他の更なる実施例を示す。
【図５】本発明に従った装置の他の更なる実施例を示す。
【図６】本発明に従った装置の一部分を示す。
【図１】
2007529776.tif 000003
【図２】
2007529776.tif 000004
【図３】
2007529776.tif 000005
【図４ａ】
2007529776.tif 000006
【図４ｂ】
2007529776.tif 000007
【図５】
2007529776.tif 000008
【図６】
2007529776.tif 000009
【国際調査報告】
2007529776.tif 000010
2007529776.tif 000011
2007529776.tif 000012